(57)【要約】【課題】小束収納庫に収納された不正な小束紙幣を早期に発見できるようにする。【解決手段】金種毎に結束された小束紙幣を取り扱う施封小束支払機１において、前記小束紙幣を先入れ後出し方式で収納する小束収納庫と、前記小束収納庫に収納した前記小束紙幣と、収納した日付とを対応させて記憶する第１の記憶部７と、第１の記憶部７に記憶された日付を検索し、所定期間を超えて前記小束収納庫に収納されている前記小束紙幣の存在を検知したとき、表示部５に警告を表示する制御部１０とを備えた。【選択図】        図１
2014132407.tif 000002
【特許請求の範囲】
【請求項１】
金種毎に結束された小束紙幣を取り扱う施封小束支払機において、
前記小束紙幣を先入れ後出し方式で収納する小束収納庫と、
前記小束収納庫に収納した前記小束紙幣と、収納した日付とを対応させて記憶する記憶部と、
前記記憶部に記憶された日付を検索し、所定期間を超えて前記小束収納庫に収納されている前記小束紙幣の存在を検知したとき、表示部に警告を表示する制御部とを備えたことを特徴とする施封小束支払機。
【請求項２】
請求項１に記載の施封小束支払機において、
同一金種の小束紙幣を収納する複数の前記小束収納庫と、
前記小束収納庫毎に、前記収納した日付を記憶する前記記憶部とを設け、
前記制御部は、前記記憶部に記憶された日付を検索し、最下位に収納されている小束紙幣の収納日付が最も新しい日付を記憶している前記小束収納庫を抽出し、該小束収納庫に小束紙幣を収納することを特徴とする施封小束支払機。
【請求項３】
請求項１に記載の施封小束支払機において、
同一金種の小束紙幣を収納する複数の前記小束収納庫と、
前記小束収納庫毎に、前記収納した日付を記憶する前記記憶部とを設け、
前記制御部は、前記記憶部に記憶された日付を検索し、最下位に収納されている小束紙幣の収納日付が最も古い日付を記憶している前記小束収納庫を抽出し、該小束収納庫から小束紙幣を出金することを特徴とする施封小束支払機。
【請求項４】
請求項１に記載の施封小束支払機において、
同一金種の小束紙幣を収納する複数の前記小束収納庫と、
前記小束収納庫毎に、前記収納した日付を記憶する前記記憶部とを設け、
前記制御部は、自動精査を行うとき、前記小束収納庫のうち一の前記小束収納庫を空にし、前記記憶部に記憶された日付を検索し、最下位に収納されている小束紙幣の収納日付が所定期間を超えた日付を記憶している前記小束収納庫を抽出し、該小束収納庫からすべての小束紙幣を前記空の小束収納庫へ移動したままとすることを特徴とする施封小束支払機。
【請求項５】
請求項１に記載の施封小束支払機において、
同一金種の小束紙幣を収納する複数の前記小束収納庫と、
前記小束収納庫毎に、前記収納した日付を記憶する前記記憶部とを設け、
前記制御部は、自動精査を行うとき、前記記憶部に記憶された日付を検索し、最下位に収納されている小束紙幣の収納日付が、最も古い日付を記憶している第１の小束収納庫および最も新しい日付を記憶している第２の小束収納庫を抽出し、前記第１の小束収納庫からすべての小束紙幣を前記第２の小束収納庫へ移動したままとすることを特徴とする施封小束支払機。
【請求項６】
請求項１に記載の施封小束支払機において、
同一金種の小束紙幣を収納する複数の前記小束収納庫と、
前記小束収納庫毎に、前記収納した日付を記憶する前記記憶部とを設け、
前記制御部は、
自動精査を行うとき、前記小束収納庫のうち空の前記小束収納庫が存在する場合、前記記憶部に記憶された日付を検索し、最下位に収納されている小束紙幣の収納日付と最上位に収納されている小束紙幣の収納日付とを比較し、
最上位の収納日付が最下位の収納日付より古い小束収納庫の場合は、該小束収納庫からすべての小束紙幣を前記空の小束収納庫へ移動した後、前記小束紙幣を元の小束収納庫へ戻し、
最下位の収納日付が最上位の収納日付より古い小束収納庫の場合は、該小束収納庫からすべての小束紙幣を前記空の小束収納庫へ移動したままとすることを特徴とする施封小束支払機。
【請求項７】
金種毎に結束された小束紙幣を取り扱う施封小束支払機を備えた現金処理装置において、
前記施封小束支払機は、前記小束紙幣を先入れ後出し方式で収納する小束収納庫を備え、
前記小束収納庫に収納した前記小束紙幣と、収納した日付とを対応させて記憶する記憶部と、
前記記憶部に記憶された日付を検索し、所定期間を超えて前記小束収納庫に収納されている前記小束紙幣の存在を検知したとき、表示部に警告を表示する制御部とを備えたことを特徴とする現金処理装置。
【発明の詳細な説明】
【技術分野】
【０００１】
本発明は、施封された小束紙幣を小束収納庫に収納し、その小束紙幣を支払う施封小束支払機、およびその施封小束支払機を備えた現金処理装置に関する。
【背景技術】
【０００２】
従来の現金処理装置は、金融機関等に設置される現金の入出金を管理する出納機等であり、紙幣を施封して小束紙幣として小束収納庫に収納し、またその小束紙幣を支払う施封小束支払機を備えている。施封小束支払機は、スタッカ方式の小束収納庫を複数備え（例えば、特許文献１参照）、例えば４つの小束収納庫のうち、２つの小束収納庫を万円紙幣用、２つの小束収納庫を千円紙幣用としてそれぞれ収納する紙幣の金種を予め設定して使用するようにしている。現金処理装置には、施封小束支払機に収納されている金種や束数を確認する業務として自動精査機能等が用意され、金融機関では週に１回、月に1回等の周期で定期的に自動精査を行うようにしている。特に、施封小束支払機には、高額な現金が収納されるため、その有り高を保障することは極めて重要である。
【先行技術文献】
【特許文献】
【０００３】
【特許文献１】特開２００５−１５７７５９号公報（段落「００１７」〜段落「００２０」、図７）
【発明の概要】
【発明が解決しようとする課題】
【０００４】
しかしながら、上述した従来の技術においては、自動精査機能で施封小束支払機の小束収納庫に収納されている小束紙幣の金種を判別する場合、収納された小束紙幣の最上位の紙幣の金種を鑑別するようにしているため、例えば小束紙幣の中の紙幣を他の金種の紙幣や紙幣と同じ大きさに切り揃えた紙等に入れ替えられたとしても、それを識別することができず、不正な小束紙幣を早期に発見することができないという問題がある。
本発明は、このような問題を解決することを課題とし、小束収納庫に収納された不正な小束紙幣を早期に発見できるようにすることを目的とする。
【課題を解決するための手段】
【０００５】
そのため、本発明は、金種毎に結束された小束紙幣を取り扱う施封小束支払機において、前記小束紙幣を先入れ後出し方式で収納する小束収納庫と、前記小束収納庫に収納した前記小束紙幣と、収納した日付とを対応させて記憶する記憶部と、前記記憶部に記憶された日付を検索し、所定期間を超えて前記小束収納庫に収納されている前記小束紙幣の存在を検知したとき、表示部に警告を表示する制御部とを備えたことを特徴とする。
【発明の効果】
【０００６】
このようにした本発明は、小束収納庫に収納された不正な小束紙幣を早期に発見できるという効果が得られる。
【図面の簡単な説明】
【０００７】
【図１】第１の実施例における現金処理装置の制御構成を示すブロック図
【図２】第１の実施例における現金処理装置の外観を示す斜視図
【図３】第１の実施例における施封小束支払機の構成を示す側面図
【図４】第１の実施例における小束収納庫の構成を示す説明図
【図５】第１の実施例における小束収納庫への収納日付の保存例を示す説明図
【図６】第１の実施例における注意メッセージの表示例を示す説明図
【図７】第３の実施例における小束収納庫の精査を示す説明図
【図８】第３の実施例における小束収納庫への収納日付の保存例を示す説明図
【図９】第３の実施例における小束収納庫の精査を示す説明図
【図１０】第３の実施例における小束収納庫への収納日付の保存例を示す説明図
【図１１】第４の実施例における小束収納庫の精査を示す説明図
【図１２】第４の実施例における小束収納庫への収納日付の保存例を示す説明図
【図１３】第４の実施例における小束収納庫の精査を示す説明図
【図１４】第４の実施例における小束収納庫への収納日付の保存例を示す説明図
【図１５】第４の実施例における小束収納庫の精査を示す説明図
【図１６】第４の実施例における小束収納庫への収納日付の保存例を示す説明図
【発明を実施するための形態】
【０００８】
以下、図面を参照して本発明による施封小束支払機および現金処理装置の実施例を説明する。
【実施例１】
【０００９】
銀行等の金融機関の営業店には、オペレータが顧客と接客して取引業務を行う窓口の後方等に処理能力の大きい出納機と称する大型の現金処理装置が設置されている。
この現金処理装置は紙幣入出金機や施封小束支払機等を並べて配置した構造を持ち、オペレータ等の操作により各種の現金処理を行う機能を有している。
図１は第１の実施例における現金処理装置の制御構成を示すブロック図、図２は第１の実施例における現金処理装置の外観を示す斜視図である。
【００１０】
図１および図２において、現金処理装置１１は、施封小束支払機１、紙幣入出金機２、硬貨入出金機３、プリンタ４、表示部５、入力部６、第１の記憶部７、第２の記憶部８、通信部９、および制御部１０、並びに棒金支払機や補充回収機等により構成されている。
これらは所定の配置で並べられ、あるいは重ねられている。
ここで紙幣入出金機２はバラの紙幣の入出金を行う機能を有している。
【００１１】
施封小束支払機１は、金種毎に結束された小束紙幣を取り扱うものであり、紙幣入出金機２から１枚ずつ搬送されてくる紙幣を一定枚数毎に紙の帯で施封して小束にし、その小束紙幣を払出し口から放出する機能、小束紙幣を小束収納庫に収納して入金する入金機能、オペレータの要求により小束収納庫から小束紙幣を取り出して出金口から放出する出金機能、小束収納庫に収納している小束紙幣の有り高を確定させる自動精査機能を有している。
【００１２】
硬貨入出金機３は、バラの硬貨の入出金を行う機能を有している。
プリンタ４は、施封小束支払機１、紙幣入出金機２、及び硬貨入出金機３で入出金処理が行われた場合、その処理内容を認証して所定の帳票等に印字し、オペレータに排出するものである。
表示部５は現金の処理に必要な情報を表示するＬＣＤ等のディスプレイであり、入力部６は現金の処理に必要な情報を入力するキーボード等の入力手段である。尚、表示部５上にタッチパネルを設けてキーボードの代わりに入力手段としてもよい。
【００１３】
記憶部としての第１の記憶部７は、現金処理装置１１を制御するための制御プログラム（ソフトウェア）や制御情報を記憶するものであり、本実施例では、施封小束支払機１内の小束収納庫に小束紙幣が収納された日付を小束紙幣毎に記憶する。また、第２の記憶部８は、ＣＤ等の可搬記憶媒体である。
通信部９は、通信回線としてのネットワークに接続され、図示しないホストコンピュータとの間で通信制御を行うものである。
【００１４】
制御部１０は、ＣＰＵ（Ｃｅｎｔｒａｌ  Ｐｒｏｃｅｓｓｉｎｇ  Ｕｎｉｔ）等の制御手段で構成され、メモリ等の記憶部に格納された制御プログラム（ソフトウェア）に基づいて現金処理装置１１全体の制御を行うものである。
制御部１０は、カレンダー機能および時計機能を有し、現在の日付や時刻を記憶部に記憶することができるようになっている。
【００１５】
図３は第１の実施例における施封小束支払機の構成を示す側面図である。
図３において、施封小束支払機１は、上段ユニットＡと下段ユニットＢから成り、上段ユニットＡはツイスト搬送部４１、ツイスト搬送部４１から紙幣を搬送する搬送路４２、複数の施封集積部４３、搬送路により搬送されてきた紙幣を各施封集積部４３に分配する分配部４４、一定枚数（例えば１００枚）の紙幣を紙の帯で施封して小束として送り出す施封部４５、各施封集積部４３に集積された一定枚数の紙幣を一括して取り出して施封部４５に搬送する一括搬送部４６を備え、また下段ユニットＢは施封部４５から送り出される小束を受け取って上下方向に搬送するエレベータ部４７、このエレベータ部４７により搬送される紙幣の小束を出金する出金口４８、紙幣の小束を金種毎に収納する複数の小束収納庫４９（４９ａ、４９ｂ、４９ｃ、４９ｄ）、これらの小束収納庫４９の配列方向に沿って移動してエレベータ部４７及び小束収納庫４９との間で紙幣の小束の授受を行う小束ハンド・プッシャ５０、オーバーフロー収納庫５１を備えている。
【００１６】
この構成において、紙幣入出金機２からの紙幣を入金する場合、オペレータが入力した金種及び枚数（１００枚単位）に基づいて、紙幣入出金機２の紙幣収納庫から繰り出された紙幣が１枚ずつ搬送されてくると、その紙幣はツイスト搬送部４１で施封小束支払機１の前後方向に搬送できるように９０度回転された後、搬送路４２により搬送されて分配部４４により複数の施封集積部４３に金種別に振り分けて集積される。
この金種別の振り分け及び集積枚数の管理は、紙幣入出金機２での金種鑑別結果及び計数結果に基づいて制御部１０により制御される。
【００１７】
施封集積部４３に一定枚数（例えば１００枚）の紙幣が集積されると、その紙幣は一括搬送部４６により一括して取り出され、施封部４５に搬送される。
この施封部４５で一定枚数の紙幣は紙の帯で施封され、小束紙幣としてエレベータ部４７に移される。
その後、エレベータ部４７は小束ハンド・プッシャ５０の位置まで下降して、紙幣の小束が小束ハンド・プッシャ５０へ渡され、そして小束ハンド・プッシャ５０が該当金種の小束収納庫４９（４９ａ、４９ｂ、４９ｃ、４９ｄ）まで移動して、その小束収納庫４９（４９ａ、４９ｂ、４９ｃ、４９ｄ）に小束紙幣を収納する。
【００１８】
該当金種の小束収納庫４９（４９ａ、４９ｂ、４９ｃ、４９ｄ）が満杯の場合、エレベータ部４７は小束ハンド・プッシャ５０に紙幣の小束を渡すことなく更に下降し、オーバーフロー収納庫５１に紙幣の小束を放出する。
また、この施封小束支払機１への入金として、紙幣入出金機２における紙幣収納庫の収納量が、予め設定された容量以上（例えばニアフルの状態）になり、その状態が図示しないセンサにより検知された場合、あるいは紙幣収納庫の収納量がユーザの設定値に達してそれが制御部１０等で認識された場合、その紙幣収納庫の紙幣を自動的に施封小束支払機１に移すケースがある。
この場合、施封小束支払機１へ移す紙幣の枚数は予め定められており、制御部１０の指示により紙幣入出金機２の紙幣収納庫から紙幣が繰り出され、前記と同様の手順で小束紙幣が作成されて小束収納庫４９（４９ａ、４９ｂ、４９ｃ、４９ｄ）に収納される。
【００１９】
また、施封小束支払機１は、小束収納庫４９（４９ａ、４９ｂ、４９ｃ、４９ｄ）に収納された小束紙幣を昇降可能なステージにより上昇させ、小束ハンド・プッシャ５０に渡し、小束ハンド・プッシャ５０によりエレベータ部４７へ搬送して出金口４８から放出することができるようになっている。
さらに、施封小束支払機１は、小束収納庫４９（４９ａ、４９ｂ、４９ｃ、４９ｄ）に収納された小束紙幣を昇降可能なステージにより上昇させ、小束ハンド・プッシャ５０に渡し、他の小束収納庫４９（４９ａ、４９ｂ、４９ｃ、４９ｄ）に移動して収納することができるようになっている。
【００２０】
図４は第１の実施例における小束収納庫の構成を示す説明図である。
図４において、小束収納庫４９（４９ａ、４９ｂ、４９ｃ、４９ｄ）は、金種毎に複数配設され、上部に設けられた開口から小束紙幣を出し入れする先入れ後出しのスタッカ方式の小束紙幣の収納庫である。
なお、本実施例では、小束収納庫４９ａおよび小束収納庫４９ｂは、万円紙幣を収納するように設定され、小束収納庫４９ｃおよび小束収納庫４９ｄは、千円紙幣を収納するように設定されているものとする。
【００２１】
上述した構成の作用について説明する。
まず、現金処理装置および施封小束支払機が有する機能を図１、図２および図３に基づいて説明する。
現金処理装置１１は、紙幣入出金機２と施封小束支払機１とを組合せ、小束機械装填および自動施封並びに出金などの機能を有している。
小束機械装填は、紙幣入出金機２の入金口に投入したバラ紙幣を計数して施封小束支払機１に搬送し、１００枚ずつ施封して施封小束支払機１の小束収納庫４９に収納する機能である。
【００２２】
自動施封は、紙幣入出金機２の金種毎の紙幣の枚数が予め設定された一定枚数に達すると自動的に施封小束支払機１に搬送し、１００枚ずつ施封して施封小束支払機１の小束収納庫４９に収納する機能である。
出金は、施封小束支払機１の小束収納庫４９に収納された小束紙幣を昇降可能なステージにより上昇させ、小束ハンド・プッシャ５０に渡し、小束ハンド・プッシャ５０によりエレベータ部４７へ搬送して出金口４８から放出する機能である。
また、施封小束支払機１単体では、小束紙幣の手装填や自動精査が可能である。
【００２３】
手装填は、オペレータの操作により、施封小束支払機１の小束収納庫４９を開けてオペレータが小束紙幣を直接、小束収納庫４９に入れる業務である。
自動精査は、施封小束支払機１が小束収納庫４９に収納されている小束紙幣の数を図示しないセンサ等により計数する業務である。この自動精査の方式は、一般的に小束紙幣を移動させないでセンサ等で小束紙幣の数を数えるセンサ方式と、小束紙幣を一つずつ他の小束収納庫４９に移動させて計数する移動方式とがある。
センサ方式の場合は、小束紙幣の金種判別は行わないが、短時間で精査が可能なので、外扉の開閉の都度、この自動精査を行い、常に小束紙幣の数が確定した状態に保持することが可能である。
【００２４】
一方、移動方式の場合は、小束紙幣の金種判別を行うが精査に長い時間を必要とするため、センサ方式のように外扉の開閉の都度の精査は出来ない。また、小束紙幣の最上位の紙幣の金種を鑑別するのみで、小束紙幣の束内の紙幣までは鑑別できない。小束紙幣の束数は確定できるが、例えば小束紙幣の中の紙幣の一部を他の金種の紙幣に入れ替えたり、紙幣と同じ大きさに切り揃えた紙と入れ替えたりしても施封小束支払機１としては識別できない。施封小束支払機１は、一般に後入れ先出しのスタッカ方式のため、最上位を除く下位の小束紙幣を不正な小束紙幣と入れ替えても発覚しにくい。
このようなことから、上記どちらの方式の場合も、不正を防止するため、小束紙幣の手装填を制限している場合が多い。
【００２５】
金融機関では、現金処理装置１１の施封小束支払機１が管理している小束紙幣の有り高と現物の小束紙幣とが合致しているか否かを確認するため定期的に精査業務を行うように定めている。
この精査業務は、自動精査のみではなく、小束収納庫４９を開けてオペレータが現物を確認して小束紙幣の束数を数える「目視確認」や、一旦すべての小束紙幣を回収する「全回収」を併用する場合が多い。目視確認や全回収を行えば確実に現物を確認できるが、手間と時間がかかるため、実施していない金融機関もある。
そこで、本実施例では、施封小束支払機１の小束収納庫４９に一定期間以上滞留した小束紙幣があることを役席者に知らせ、自動精査のみの運用でも必要時にチェックを促すようにしている。
【００２６】
第１の記憶部７内に、施封小束支払機１の小束収納庫４９と同様の構成とし、小束紙幣毎に、小束収納庫４９に収納された日付を記憶する収納日付記憶領域を設け、制御部１０は小束紙幣が小束収納庫４９に収納されたとき、収納された日付を小束紙幣毎に収納日付記憶領域に記憶する。
また、制御部１０は小束紙幣が小束収納庫４９から出金されたとき、当該小束紙幣に対応する収納日付を第１の記憶部７内の収納日付記憶領域から消去する。
図５は第１の実施例における小束収納庫への収納日付の保存例を示す説明図であり、第１の記憶部７内の収納日付記憶領域を示している。
【００２７】
収納日付記憶領域５１は、収納日付記憶領域５１ａ、５１ｂ、５１ｃ、５１ｄにより構成され、収納日付記憶領域５１ａは小束収納庫４９ａに収納されている小束紙幣の収納日付を記憶し、収納日付記憶領域５１ｂは小束収納庫４９ｂに収納されている小束紙幣の収納日付を記憶し、収納日付記憶領域５１ｃは小束収納庫４９ｃに収納されている小束紙幣の収納日付を記憶し、収納日付記憶領域５１ｄは小束収納庫４９ｄに収納されている小束紙幣の収納日付を記憶している。なお、収納日付記憶領域５１は、小束収納庫４９に収納可能な小束紙幣の数に対応する記憶領域を確保しているものとする。
【００２８】
図５に示す例では、小束収納庫４９ａに収納されている小束紙幣の収納日付は、最下位から順に「２０１２年９月１日」、「２０１２年９月３日」、「２０１２年９月５日」、「２０１２年９月１０日」、「２０１２年９月１０日」であることが、収納日付記憶領域５１に記憶されていることを表している。
通常、現金処理装置１１では電源投入時の業務開始前に役席者の承認を必要とするが、このとき、制御部１０は第１の記憶部７内の収納日付記憶領域を確認し、予め設定した所定期間、例えば１ヶ月以上、施封小束支払機１の小束収納庫４９内に滞留している小束紙幣の有無のチェックを行う。
【００２９】
制御部１０は、１ヶ月以上、施封小束支払機１の小束収納庫４９内に滞留している小束紙幣が存在することを検知した場合には注意メッセージを表示部５に表示して役席者に確認を促す。
制御部１０が表示部５に表示する注意メッセージは、例えば図６に示すように、「小束金庫滞留  小束金庫に滞留している小束があります。収納庫○を確認してください。」等で構成されたものである。
【００３０】
図５に示す例において、２０１２年１０月１日に現金処理装置１１が電源投入されたとき、制御部１０は第１の記憶部７内の収納日付記憶領域５１を確認し、施封小束支払機１の小束収納庫４９内に１ヶ月以上滞留している小束紙幣の有無をチェックし、収納日付記憶領域５１ａ、すなわち小束収納庫４９ａ（収納庫Ａ）の最下位（最上位から５束目）に収納されている小束紙幣が１ヶ月以上滞留していることを検知する。
このとき、制御部１０は、「小束金庫滞留  小束金庫に滞留している小束があります。収納庫Ａを確認してください。」等のメッセージを表示する。
【００３１】
このように、現金処理装置１１は、小束紙幣を先入れ後出し方式で収納する施封小束支払機１の小束収納庫４９、および小束収納庫４９に収納した小束紙幣と収納した日付とを対応させた収納日付記憶領域５１を記憶する第１の記憶部７を備え、制御部１０が第１の記憶部７に記憶された収納日付記憶領域５１の日付を検索し、所定期間を超えて小束収納庫４９に収納されている小束紙幣の存在を検知したとき、表示部５に警告を表示する。
また、現金処理装置１１がネットワークに接続されている出納機の場合は、ネットワーク上の通信により、管理端末または上位システムにアラームを上げるようにしてもよい。この場合は、支店以外の人間がチェックすることが可能となるため、万一役席者が不正をしている場合でも発見が可能となる。
【００３２】
以上説明したように、第１の実施例では、制御部が第２の記憶部内の収納日付記憶領域を確認し、予め設定した所定期間を超えて施封小束支払機の小束収納庫内に滞留している小束紙幣の有無の確認を行い、所定期間を超えて小束収納庫内に滞留している小束紙幣が存在することを検知した場合には注意メッセージを表示部に表示するようにしたことにより、不正な小束紙幣を早期に発見することができるという効果が得られる。
また、施封小束支払機の小束収納庫内に滞留している小束紙幣を適切なタイミングで確認を促すことができ、効果的な運用が可能になるという効果が得られる。
【実施例２】
【００３３】
第２の実施例の構成は、図１〜図６に示す第１の実施例の構成と同様であるのでその説明を省略する。
第２の実施例の構成の作用について説明する。
第２の実施例の現金処理装置の作用は第１の実施例と同様であるが、第２の実施例では、施封小束支払機が小束紙幣を小束収納庫に収納するときの動作の制御および小束紙幣を小束収納庫から出金するときの動作の制御が異なっている。
その第２の実施例の施封小束支払機の動作を図３に基づいて説明する。
【００３４】
施封小束支払機１の小束収納庫４９は、小束収納庫４９ａおよび小束収納庫４９ｂに万円紙幣、小束収納庫４９ｃおよび小束収納庫４９ｄに千円紙幣を割り当てる場合や、小束収納庫４９ａおよび小束収納庫４９ｂに万円紙幣、小束収納庫４９ｃに五千円紙幣、小束収納庫４９ｄに千円紙幣を割り当てる場合等、支払の多い万円紙幣の小束紙幣に２つ以上の小束収納庫４９を割り当てている場合が多い。
【００３５】
この場合、制御部１０は、施封小束支払機１により小束紙幣を小束収納庫４９に収納するとき、収納対象の小束紙幣の金種を収納すべき小束収納庫４９に対応する第１の記憶部７の収納日付記憶領域を検索し、最下位に収納された小束紙幣の収納日付が最も新しい日付を記憶している小束収納庫４９を抽出し、抽出した小束収納庫４９に小束紙幣を収納する。
一方、制御部１０は、施封小束支払機１により小束紙幣を小束収納庫４９から出金するとき、出金対象の小束紙幣の金種を収納している小束収納庫４９に対応する第１の記憶部７の収納日付記憶領域を検索し、最下位に収納された小束紙幣の収納日付が最も古い日付を記憶している小束収納庫４９を抽出し、抽出した小束収納庫４９から小束紙幣を出金する。
【００３６】
例えば、小束収納庫４９ａおよび小束収納庫４９ｂに万円紙幣を収納するように設定され、小束収納庫４９ｃおよび小束収納庫４９ｄに千円紙幣を収納するように設定され、さらに図５に示すように、収納日付記憶領域５１に収納日付が記憶されている場合において、制御部１０は、施封小束支払機１により万円紙幣の小束紙幣を小束収納庫４９に収納するとき、第１の記憶部７の収納日付記憶領域５１（５１ａ、５１ｂ）を検索し、最下位に収納された小束紙幣の収納日付が最も新しい日付を記憶している小束収納庫４９ｂを抽出し、抽出した小束収納庫４９ｂに小束紙幣を収納する。なお、空の小束収納庫４９がある場合には、最優先で空の小束収納庫４９に小束紙幣を収納するようにしても良い。
【００３７】
一方、制御部１０は、施封小束支払機１により万円紙幣の小束紙幣を小束収納庫４９から出金するとき、第１の記憶部７の収納日付記憶領域５１（５１ａ、５１ｂ）を検索し、最下位に収納された小束紙幣の収納日付が最も古い日付を記憶している小束収納庫４９ａを抽出し、抽出した小束収納庫４９ａから小束紙幣を出金する。
【００３８】
このように、本実施例では、同一金種の小束紙幣を収納する複数の小束収納庫４９と、その小束収納庫４９毎に、収納した日付を記憶する収納日付記憶領域５１を有する第２の記憶部とを設け、制御部１０は、収納日付記憶領域５１に記憶された日付を検索し、最下位に収納されている小束紙幣の収納日付が最も新しい日付を記憶している小束収納庫４９を抽出し、その小束収納庫４９に小束紙幣を収納する。
また、制御部１０は、収納日付記憶領域５１に記憶された日付を検索し、最下位に収納されている小束紙幣の収納日付が最も古い日付を記憶している小束収納庫４９を抽出し、その小束収納庫４９から小束紙幣を出金する。
【００３９】
このようにすることにより、各小束収納庫４９では後入れ先出しであるが、小束収納庫４９間で見ると先に収納した小束紙幣を先に出金することにつながり、小束紙幣の滞留期間を短くすることができる。
以上説明したように、第２の実施例では、第１の実施例の効果に加え、施封小束支払機の小束収納庫に収納されている小束紙幣の滞留期間を短くすることができ、不正な小束紙幣を早期に発見することができるという効果が得られる。
【実施例３】
【００４０】
第３の実施例の構成は、図１〜図６に示す第１の実施例の構成と同様であるのでその説明を省略する。
第３の実施例の構成の作用について説明する。
第３の実施例の現金処理装置の作用は第１の実施例と同様であるが、第３の実施例では、施封小束支払機が行う移動方式の自動精査の動作の制御が異なっている。
その第３の実施例の施封小束支払機の動作を図３、および図７〜図１０に基づいて説明する。
【００４１】
施封小束支払機１の小束収納庫４９は、小束収納庫４９ａおよび小束収納庫４９ｂに万円紙幣、小束収納庫４９ｃおよび小束収納庫４９ｄに千円紙幣を割り当てる場合や、小束収納庫４９ａおよび小束収納庫４９ｂに万円紙幣、小束収納庫４９ｃに五千円紙幣、小束収納庫４９ｄに千円紙幣を割り当てる場合等、支払の多い万円紙幣の小束紙幣に２つ以上の小束収納庫４９を割り当てている場合が多い。
【００４２】
この場合、移動方式の自動精査の際、同一金種の紙幣が割り当てられている複数の小束収納庫４９のうち、一方の小束収納庫４９に収納されている小束紙幣をすべて他方の小束収納庫４９へ移動して一方の小束収納庫４９を空にして精査庫として使用する。
一方の小束収納庫４９に収納されている小束紙幣をすべて他方の小束収納庫４９へ移動した後は、小束紙幣を他方の小束収納庫４９へ移動したままとし、他方の小束収納庫４９に収納された最上位の小束紙幣が最も古い日付の小束紙幣、最下位の小束紙幣が最も新しい日付の小束紙幣となるようにして古い小束紙幣が小束収納庫４９内に滞留することを防止する。
【００４３】
例えば、図７に示すように小束収納庫４９ａに収納されている万円紙幣の小束紙幣を、図９に示すようにすべて小束収納庫４９ｂへ移動する。このとき、小束紙幣の移動前は、図８に示すように、第１の記憶部７の収納日付記憶領域５１ａは最上位の小束紙幣が最も新しい日付（２０１２年９月１０日）の小束紙幣、最下位の小束紙幣（図７に示す小束紙幣７１）が最も古い日付（２０１２年９月１日）の小束紙幣として記憶され、小束紙幣の移動後は、図１０に示すように、第１の記憶部７の収納日付記憶領域５１ｂには最上位の小束紙幣が最も古い日付（２０１２年９月１日）の小束紙幣（図９に示す小束紙幣７１）、最下位の小束紙幣が最も新しい日付（２０１２年９月１０日）の小束紙幣として記憶される。
【００４４】
本実施例において、自動精査を行うとき、一方の小束収納庫４９に収納されている小束紙幣をすべて他方の小束収納庫４９へ移動した後、小束紙幣を他方の小束収納庫４９へ移動したまま（例えば、小束収納庫４９ａから小束収納庫４９ｂへ移動したまま）とするのは、小束収納庫４９（例えば、小束収納庫４９ａ）の最下位の小束紙幣の収納日付、すなわち第１の記憶部７の収納日付記憶領域５１に記憶された日付が所定の期間を経過しているときとする。
【００４５】
一方、小束収納庫４９（例えば、小束収納庫４９ａ）の最下位の小束紙幣の収納日付、すなわち第１の記憶部７の収納日付記憶領域５１に記憶された日付が所定の期間を経過していないときは、一方の小束収納庫４９に収納されている小束紙幣をすべて他方の小束収納庫４９へ移動した後、すべての小束紙幣を他方の小束収納庫４９から元の小束収納庫４９へ戻す（例えば、小束収納庫４９ａから小束収納庫４９ｂへ移動し、その後小束収納庫４９ｂから小束収納庫４９ａへ戻す）通常の自動精査を行う。
なお、小束紙幣の上位と下位とを入れ替える動作は自動精査時ではなく、施封小束支払機１を使用していないときに定期的に行うようにしても良い。
【００４６】
このように、本実施例では、同一金種の小束紙幣を収納する複数の小束収納庫４９と、その小束収納庫４９毎に、収納した日付を記憶する収納日付記憶領域５１を有する第２の記憶部とを設け、制御部１０は、自動精査を行うとき、小束収納庫４９のうち一の小束収納庫４９を空にし、収納日付記憶領域５１に記憶された日付を検索し、最下位に収納されている小束紙幣の収納日付が所定期間を超えた日付を記憶している小束収納庫４９を抽出し、その小束収納庫４９からすべての小束紙幣を空の小束収納庫４９へ移動したままとする。
【００４７】
以上説明したように、第３の実施例では、第１の実施例の効果に加え、自動精査において、一方の小束収納庫に収納されている小束紙幣をすべて他方の小束収納庫へ移動した後は、小束紙幣を他方の小束収納庫へ移動したままとすることにより、収納日付の古い小束紙幣が小束収納庫内に滞留することを防止することができるという効果が得られる。
【実施例４】
【００４８】
第４の実施例の構成は、図１〜図６に示す第１の実施例の構成と同様であるのでその説明を省略する。
第４の実施例の構成の作用について説明する。
第４の実施例の現金処理装置の作用は第１の実施例と同様であるが、第４の実施例では、施封小束支払機が行う移動方式の自動精査の動作の制御が異なっている。
その第４の実施例の施封小束支払機の動作を図３、および図１１〜図１４に基づいて説明する。
【００４９】
施封小束支払機１の小束収納庫４９は、小束収納庫４９ａおよび小束収納庫４９ｂに万円紙幣、小束収納庫４９ｃおよび小束収納庫４９ｄに千円紙幣を割り当てる場合や、小束収納庫４９ａおよび小束収納庫４９ｂに万円紙幣、小束収納庫４９ｃに五千円紙幣、小束収納庫４９ｄに千円紙幣を割り当てる場合等、支払の多い万円紙幣の小束紙幣に２つ以上の小束収納庫４９を割り当てている場合が多い。
【００５０】
この場合、移動方式の自動精査の際、同一金種の紙幣が割り当てられている複数の小束収納庫４９のうち、一つの小束収納庫４９に収納されている小束紙幣をすべて他の小束収納庫４９へ移動して一つの小束収納庫４９を空にして精査庫として使用する。
自動精査を行った後は、小束紙幣を精査庫として使用した小束収納庫４９へ移動したままとし、小束収納庫４９に収納された最上位の小束紙幣が最も古い日付の小束紙幣になるようにして、古い小束紙幣が小束収納庫４９内に滞留することを防止する。
【００５１】
例えば、図１１に示すように、小束収納庫４９ａおよび小束収納庫４９ｂに万円紙幣を収納するように設定され、小束収納庫４９ｃおよび小束収納庫４９ｄに千円紙幣を収納するように設定され、さらに図１２に示すように、収納日付記憶領域５１に収納日付が記憶されている場合において、制御部１０は、施封小束支払機１により自動精査を行うとき、第１の記憶部７の収納日付記憶領域５１（５１ａ、５１ｂ）を検索し、収納日付記憶領域５１ａの最下位の小束紙幣の収納日付（２０１２年９月１日）と収納日付記憶領域５１ｂの最下位の小束紙幣の収納日付（２０１２年９月５日）を比較し、収納日付が新しい小束紙幣を収納している小束収納庫４９（例えば、小束収納庫４９ｂ）を精査庫として使用する。
【００５２】
制御部１０は、収納日付が新しい小束紙幣を収納している小束収納庫４９ｂを精査庫として使用するため、一旦小束収納庫４９ｂに収納されている小束紙幣をすべて小束収納庫４９ａに移動させる。
制御部１０は、空いた小束収納庫４９ｂを使用して、小束収納庫４９ｃおよび小束収納庫４９ｄの自動精査を行う。制御部１０は、最後に小束収納庫４９ａの小束紙幣を小束収納庫４９ｂに移動させて自動精査を行うが、小束収納庫４９ｂに移動させた小束紙幣は小束収納庫４９aに戻さず、図１３に示すように、小束収納庫４９ｂに移動させたままとする。
【００５３】
このとき、自動精査による小束紙幣の移動前は、図１２に示すように、第１の記憶部７の収納日付記憶領域５１ａは最下位の小束紙幣（図１１に示す小束紙幣７１）が最も古い日付（２０１２年９月１日）の小束紙幣として記憶され、自動精査による小束紙幣の移動後は、図１４に示すように、第１の記憶部７の収納日付記憶領域５１ｂには最上位の小束紙幣が最も古い日付（２０１２年９月１日）の小束紙幣（図１３に示す小束紙幣７１）として記憶される。
【００５４】
また、本実施例において、同一金種の小束紙幣を収納する２つの小束収納庫のうち、一つの小束収納庫が自動精査開始時から空の場合には、制御部１０は、収納されている小束紙幣の最下位の収納日付と最上位の収納日付を比較し、最下位の収納日付の方が古い場合には、小束紙幣を空の小束収納庫へ移動した後、移動した小束紙幣を元の小束収納庫に戻さないようにする。また、最上位の収納日付の方が古い場合には、小束紙幣を空の小束収納庫へ移動した後、移動した小束紙幣を元の小束収納庫に戻すようにする。
【００５５】
例えば、図１３および図１４に示す状態で再度自動精査を起動した場合には、小束収納庫４９ｂに収納されている小束紙幣のうち、最上位の小束紙幣の収納日付（収納日付記憶領域５１ｂの最上位に記憶された２０１２年９月１日）が最下位の小束の収納日付（収納日付記憶領域５１ｂの最下位に記憶された２０１２年９月５日）より古いので、小束収納庫４９ａを精査庫として自動精査を行った後、移動した小束紙幣を小束収納庫４９ｂに戻して終了する。
【００５６】
また、本実施例において、図１５および図１６に示すように、同一金種の小束紙幣を収納する小束収納庫が３つ存在する場合には、収納されている小束紙幣の最下位の収納日付が２番目に古い小束収納庫４９ｂを精査庫として使用する。この場合、収納されている小束紙幣の最下位の収納日付が最も新しい小束収納庫４９ｃは、自動精査後に元の小束収納庫４９ｃに小束紙幣を戻し、最後に、収納されている小束紙幣の最下位の収納日付が最も古い小束収納庫４９ａの自動精査を行い、小束紙幣を精査庫としての小束収納庫４９ｂに移動したままとする。
なお、小束紙幣の上位と下位とを入れ替える動作は自動精査時ではなく、施封小束支払機１を使用していないときに定期的に行うようにしても良い。
【００５７】
このように、本実施例では、同一金種の小束紙幣を収納する複数の小束収納庫４９と、その小束収納庫４９毎に、収納した日付を記憶する収納日付記憶領域５１を有する第２の記憶部とを設け、制御部１０は、自動精査を行うとき、収納日付記憶領域５１に記憶された日付を検索し、最下位に収納されている小束紙幣の収納日付が、最も古い日付を記憶している第１の小束収納庫４９およびを最も新しい日付を記憶している第２の小束収納庫４９を抽出し、最も古い日付を記憶している第１の小束収納庫４９に収納されているすべての小束紙幣を最も新しい日付を記憶している第２の小束収納庫４９へ移動したままとする。
【００５８】
また、制御部１０は、自動精査を行うとき、小束収納庫４９のうち空の小束収納庫４９が存在する場合、収納日付記憶領域５１に記憶された日付を検索し、最下位に収納されている小束紙幣の収納日付と最上位に収納されている小束紙幣の収納日付とを比較し、最上位の収納日付が最下位の収納日付より古い小束収納庫４９の場合は、該小束収納庫４９からすべての小束紙幣を空の小束収納庫４９へ移動した後、その小束紙幣を元の小束収納庫４９へ戻し、最下位の収納日付が最上位の収納日付より古い小束収納庫４９の場合は、その小束収納庫４９からすべての小束紙幣を空の小束収納庫４９へ移動したままとする。
【００５９】
以上説明したように、第４の実施例では、第１の実施例の効果に加え、自動精査において、最下位に収納されている小束紙幣の収納日付が最も古い日付を記憶している小束収納庫に収納されたすべての小束紙幣を、最下位に収納されている小束紙幣の収納日付が最も新しい日付を記憶している小束収納庫へ移動したままとすることにより、収納日付の古い小束紙幣が小束収納庫内に滞留することを防止することができるという効果が得られる。
【００６０】
なお、第１の実施例、第２の実施例、第３の実施例および第４の実施例では、図１に示す現金処理装置１１内の制御部１０が第１の記憶部７の収納日付記憶領域を管理するものとして説明したが、それに限られることなく、制御部１０および第１の記憶部７を施封小束支払機１に備え、その制御部１０により第１の記憶部７の収納日付記憶領域を管理するようにしても良い。
また、第１の実施例、第２の実施例、第３の実施例および第４の実施例を組み合わせて兼ね備えるようにしても良い。
【符号の説明】
【００６１】
１    施封小束支払機
２    紙幣入出金機
３    硬貨入出金機
４    プリンタ
５    表示部
６    入力部
７    第１の記憶部
８    第２の記憶部
９    通信部
１０  制御部
１１  現金処理装置
４１  ツイスト搬送部
４２  搬送路
４３  施封集積部
４４  分配部
４５  施封部
４６  一括搬送部
４７  エレベータ部
４８  出金口
４９（４９ａ、４９ｂ、４９ｃ、４９ｄ）  小束収納庫
５０  小束ハンド・プッシャ
５１  オーバーフロー収納庫
【図１】
2014132407.tif 000003
【図２】
2014132407.tif 000004
【図３】
2014132407.tif 000005
【図４】
2014132407.tif 000006
【図５】
2014132407.tif 000007
【図６】
2014132407.tif 000008
【図７】
2014132407.tif 000009
【図８】
2014132407.tif 000010
【図９】
2014132407.tif 000011
【図１０】
2014132407.tif 000012
【図１１】
2014132407.tif 000013
【図１２】
2014132407.tif 000014
【図１３】
2014132407.tif 000015
【図１４】
2014132407.tif 000016
【図１５】
2014132407.tif 000017
【図１６】
2014132407.tif 000018